(57)【要約】 【課題】熟練者でなくても、常に最適な開口、締め付け位置を得ることができること。【解決手段】引っ張られる部材に相当する螺杆１と、この螺杆に外嵌合状態に設けられたパイプ状の押開用外筒体２と、この押開用外筒体の下方に係合可能に設けられ、かつ、複数枚の爪状切込み片８を有する筒状爪部材３とから成るアンカーであって、前記螺杆１に所要長さのパイプ状ストッパー内筒体５を嵌合し、螺杆の上端部に螺合する締め付け手段４を所定量締め付けると、前記押開用外筒体２を介して前記押開用外筒体２の込み片８を所定の外拡角度まで押し広げることを特徴とするアンカー。【選択図】  図６
2005258948.tif 000002
【特許請求の範囲】
【請求項１】
引っ張られる部材に相当する螺杆１と、この螺杆に外嵌合状態に設けられたパイプ状の押開用外筒体２と、この押開用外筒体の下方に係合可能に設けられ、かつ、複数枚の爪状切込み片８を有する筒状爪部材３とから成るアンカーであって、前記螺杆１に所要長さのパイプ状ストッパー内筒体５を嵌合し、螺杆の上端部に螺合する締め付け手段４を所定量締め付けると、前記押開用外筒体２を介して前記押開用外筒体２の込み片８を所定の外拡角度まで押し広げることを特徴とするアンカー。
【請求項２】
請求項１に於いて、爪部材３は、下端部寄りの部位に、一対の縦方向の第１切欠９．９にそれぞれ連通する横方向第２切欠１０．１０を有することを特徴とするアンカー。
【請求項３】
請求項１に於いて、ストッパー内筒体は、硬質の合成樹脂材で成形され、押開用筒体よりも所定量長いことを特徴とすることを特徴とするアンカー。
【請求項４】
請求項１に於いて、螺杆の下端部に、筒状爪部材が一体成形されていることを特徴とするアンカー。
【請求項５】
請求項１に於いて、螺杆の下端部に、止めナットが一体成形された筒状爪部材が螺着していることを特徴とするアンカー。
【請求項６】
請求項１に於いて、ストッパー内筒体は、長さの異なるものが二種類以上存在することを特徴とすることを特徴とするアンカー。
【発明の詳細な説明】
【技術分野】
【０００１】
本発明は、自動販売機、各種機械の据付けの際に使用されるアンカー  に関する。
【背景技術】
【０００２】
特許文献１には、「引っ張り部材と称する螺杆と、この螺杆に外嵌合状態に設けられたパイプ状の押開用筒体と、この押開用筒体の下方に係合可能に設けられ、かつ、複数枚の切込み片を有する爪部材とから成るアンカー」が記載されている。
【０００３】
上記アンカーは、コンクリートなどの基礎の上面に敷いた板体の貫通孔から螺杆の上端部が突出するように該基礎に螺杆のその余の部分を差込み、前記突出上端部を引き上げると、前記板体の下面に押開用筒体が規制されているため、押開用筒体の下端面が爪部材の切込み片の尖塔部を押し広げることが可能であり、押開用筒体は螺杆を引き上げる量に相関して切込み片を逆傘状に押し広げる。したがって、アンカーが引き抜きに対して強固になるという利点がある。
【０００４】
しかしながら、上記構成にあっては、螺杆を引き上げる目安（標準）がないため、螺杆を引き上げる量によって、押開用筒体の押し広げる量（外拡角度）が相違するため、爪部材の切込み片の外拡角度が、常に所望の角度にならないという問題点があった。
【０００５】
また、特許文献２にも、「上端部に角頭を有する螺杆と、この螺杆に遊嵌合状態に装着された砲弾型の円筒体と、この円筒体と螺杆との間に位置するように該螺杆に螺合するナットと、複数個の切り込み部を有しかつ螺杆の下端部に設けられた複数個の拡大筒とから成る建築壁面用ボルト」が記載されている。
【０００６】
上記構成のボルトは、ナットを締め付けるとこにより、螺杆が上昇するので、砲弾型の円筒体が複数個の拡大筒を押し広げるという構成であるから、基本的には特許文献１と同様の構成である。
【０００７】
しかしながら、このボルトも特許文献１と同様に目安（標準）がないため、前記拡大筒を基礎の種類（硬い地盤、比較的軟弱な地盤など）に対応して所望の角度まで押し広げることができないという欠点があった。
【特許文献１】特開５−３３２３３０公報
【特許文献２】実公昭４３−４６０３公報
【発明の開示】
【発明が解決しようとする課題】
【０００８】
本発明の第１の目的は、熟練者でなくても、筒状爪部材の切込み片を常に所定の外拡角度まで押し広げることができるアンカーを提案することである。第２の目的は、合理的構成を採用することにより、安価に製作することができることである。第３の目的は、パイプ状ストッパー内筒体の長さを変えるだけで、硬い地盤、比較的軟弱な地盤など基礎の質的な種類に対応して筒状爪部材の切込み片を常に所定の外拡角度まで押し広げることができることである。
【課題を解決するための手段】
【０００９】
本発明のアンカーは、引っ張られる部材に相当する螺杆１と、この螺杆に外嵌合状態に設けられたパイプ状の押開用外筒体２と、この押開用外筒体の下方に係合可能に設けられ、かつ、複数枚の爪状切込み片８を有する筒状爪部材３とから成るアンカーであって、前記螺杆１に所要長さのパイプ状ストッパー内筒体５を嵌合し、螺杆の上端部に螺合する締め付け手段４を所定量締め付けると、前記押開用外筒体２を介して前記押開用外筒体２の込み片８を所定の外拡角度まで押し広げることを特徴とする。
上記構成に於いて、パイプ状内筒体は合成樹脂材で成形され、押開用筒体よりも所定量長いことを特徴とする。
【発明の効果】
【００１０】
（１）締め付け部材４を締め付けている段階で、ストッパー内筒体５のストッパー機能が作用する。そして、締め付けができなくなった時点で締め付けを直ちに止めると、爪部材３の切り込み片８．８の開口が、基礎２１との質との関係で、目的とする最適な角度（例えば４５度、１２０度など）になる。それ故に、ストッパー内筒体がゲージ（標準）の役割を果たすので、熟練者でなくても、常に最適な開口、締め付け位置を得ることができる。
（２）合理的構成を採用することにより、安価に製作することができる。
（３）請求項２に記載の発明は、切り込み片が容易に外拡変位すると共に、土砂等の基礎に対する接触面積を増やすことができる。
（４）請求項４に記載の発明は、ストッパー内筒体の長さを変えるだけで、硬い地盤、比較的軟弱な地盤など基礎の質的な種類に対応して筒状爪部材の切込み片を常に所定の外拡角度まで押し広げることができる。
【発明を実施するための最良の形態】
【００１１】
以下、図１乃至図７に示す本発明を実施するための最良の形態（第１実施例）により説明する。
【００１２】
アンカーＸは、１は引っ張られる部材に相当する螺杆、２は螺杆に外嵌合状態に設けられたパイプ状の押開用外筒体、３は押開用外筒体の下方に遊嵌合に設けられた筒状爪部材、４は螺杆の上端部に螺合する締め付け手段、５は螺杆に遊嵌合するパイプ状ストッパー内筒体である。なお、２１は基礎、２２は貫通孔２３を有するベース板である。以下、これらの基本的な構成部材を中心に説明する。
【００１３】
（１）螺杆
螺杆１は金属製の棒状体であり、例えば４３ｃｍ程度の長さを有している。螺杆１は、例えば自動販売機を設置するのに相応しい硬い地盤や比較的軟弱な地盤など基礎２１に作った穴に差込み、或いは適宜に打ち込まれるが、その場合、螺杆１の上端部１ａは、例えば基礎２１の上面に敷いた板体２２の貫通孔２３から突出する。
一方、螺杆１の下端部１ｂには、本実施例では筒状爪部材３用の止めナット６が螺着する。なお、前記止めナット６は、ナット部分６ａと、ナット部分６ａに連設する半円球状の頭部６ｂとから成る。螺杆１は、板体等を介して締め付け手段４を締め付けると、上方に引っ張られる部材である。
【００１４】
（２）押開用外筒体
押開用外筒体２は金属でパイプ状に形成され、螺杆１に外嵌合する。螺杆１と押開用外筒体２との間には、ストッパー内筒体５が介在するので、螺杆１の外径寸法と、押開用外筒体２の内径寸法は適宜に設定され、螺杆１の外壁面と押開用外筒体２の内壁面との間には多少の間隙７が設けられている。したがって、押開用外筒体２は螺杆１に遊嵌合に設けられている。
【００１５】
押開用外筒体２の長さは、例えば３１ｃｍ程度であり、螺杆１よりも短い。つまり、押開用外筒体２を螺杆１に遊嵌合すると、螺杆１の上下の端部１ａ．１ｂは、外筒体２の上下の端面２ａ．２ｂからそれぞれ突出する。
【００１６】
（３）筒状爪部材
爪部材３は、押開用外筒体２のテーパー状下端面２ｂに係合可能に、かつ、螺杆１の下端部１ｂに遊嵌合状態に設けられている。複数枚の切込み片８．８を有する筒状爪部材３それ自体は、特許文献１に記載のように既に公知であるが、本実施例の筒状爪部材３は、下端部寄りの部位に、一対の縦方向の第１切欠９．９にそれぞれ連通する横方向第２切欠１０．１０が１対形成されている。これにより、二枚の爪状切込み片８．８は、容易に花びら状に外拡変位可能である。なお、爪状の切込み片８は、複数枚であれば、その枚数（３枚、４枚など）を限定するものではない。
【００１７】
（４）締め付け手段
締め付け手段４は螺杆１の上端部１ａに螺合する。本実施例の締め付け手段４は、螺杆１の上端部１ａに貫通状態に嵌挿され、かつ、押開用外筒体２の上端面２ａに載せられるリング状座金４ａと、基礎２２の上面に敷いた板体２２に面接触状態で圧接する該座金４ａを介して螺杆１を引き上げる締め付けナット４ｂとから成る。もちろん、締め付け手段４は、適当な大きさの締め付けナット４ｂだけでも良く、また、締め付けナット４ｂと座金４ａは一体でも良い。
【００１８】
（５）ストッパー内筒体
ストッパー内筒体５は、締め付け手段４を所定量締め付けると、爪部材３の二枚の切込み片８．８を所定の外拡角度まで押し広げた押開用外筒体３を所定の位置で止める。そのために、ストッパー内筒体５は、カットが容易な合成樹脂材で、押開用外筒体２よりも所定量長いパイプ状に形成されている（通称、「塩ビパイプ」）。
【００１９】
しかして、ストッパー内筒体５は、本実施例では、図７で示すように、パイプ状ストッパー内筒体５Ａ、５Ｂの長さを変える（任意に選択する）だけで、硬い地盤、比較的軟弱な地盤２１など基礎の質的な種類に対応して爪部材３の切込み片８．８を常に所定の外拡角度（例えば４５度、１２０度など）まで押し広げることができる。つまり、内筒体５Ａが長い場合には硬い地盤に適合する４５度用であり、これに対して内筒体５Ｂが短い場合には軟弱な地盤に適合する１２０度用である。
【００２０】
（６）組立
上記構成に於いて、各部材を組立てる場合には、まず、螺杆１に短い方の内筒体５Ａ又は長い方の内筒体５Ｂのいずれかを選択して螺杆１に嵌め込む。この場合に於いて、螺杆１の上下端部１ａ．１ｂはストッパー内筒体５から突出する。次に、ストッパー内筒体５に外筒体２を遊嵌合する。この場合に於いて、ストッパー内筒体５の上端部５ａは、外筒体２の上端面２ａよりも内部に入り込んでいる反面、ストッパー内筒体５の下端部５ｂは、外筒体２の下端面２ｂから突出していると共に、爪部材３内に深く入り込み、しかも、その下端面を、後述の止めナット６の内面で支持することができる。
【００２１】
そこで、螺杆１の下端部１ｂに筒状爪部材３を嵌め込み、止めナット６を前記下端部１ｂに螺合する。この場合止めナット６は、所定の位置で停止し、前記筒状爪部材３の爪状切り込み片８．８の上端縁は、外筒体２のテーパー状下端面２ｂの一部に当接或いは係合する。
【００２２】
しかして、ストッパー内筒体５の下端部５ｂは、上述したように筒状爪部材３内に深く落ち込むが、この落ち込んだ分だけ、ストッパー内筒体５の上端部５ａが外筒体２の上端面２ａから離れるので、この離れた量（目安）が筒状爪部材３の切り込み片８．８を押し広げることになる。
【００２３】
（７）作用
上記構成に於いて、アンカーＸを、例えば自動販売機を設置するのに相応しい基礎２１に作った穴に差込み、或いは適宜に打ち込みをする。この場合、螺杆１の上端部１ａは、基礎２１の上面に敷いた板体２２の貫通孔から所要量突出する。
【００２４】
そこで、まず前記上端部１ａに締め付け手段４を取付ける。締め付け手段４を所定量締め付けると、該締め付け手段４の締め付け量に相関して螺杆１が上方に引っ張られ、これにより押開用外筒体２は、その下端面２ｂを介して筒状爪部材３の切込み片８．８を所定の外拡角度まで押し広げる（例えば逆傘状に広げる）。
【００２５】
そして、螺杆１が上昇するに連れてストッパー内筒体５の上端面５ａが外筒体２の上端面２ａと同一平面状に達すると、締め付け手段４を締め付けることができなくなり、爪部材３の切込み片８．８は、常に所定の外拡角度まで開くことになる。
【実施例】
【００２６】
この実施例の欄では、第２実施例を説明する。なお、この第２実施例の説明に当たっては、重複説明を回避するために第1実施例の符号を便宜上援用する。
【００２７】
図８及び図９に示す第２実施例のアンカーＸ１に於いて、前記第１実施例のアンカーＸと主に異なる点は、螺杆１Ａの下端部１ｂに、筒状爪部材３Ａと、止めナット６Ａとを一体成形し、「一つの部材」にしたことである。この実施例では、筒状爪部材３Ａの内壁面と前記螺杆１Ａの下端部１ｂの外壁面との間に形成された嵌合空間１１内にストッパー内筒体５Ａの下端部５ｂが入り込み、その下端部５ｂの端面は、前記嵌合空間１１を形成する環状内壁底面で支持される。このように構成しても第1実施例と同一の作用・効果がある。
【００２８】
また、図１０及び図１１に示す第３実施例のアンカーＸ２に於いて、前記第１実施例のアンカーＸと主に異なる点は、螺杆１の下端部に、止めナット６が一体成形された筒状爪部材３Ｂが螺着していることである。このように筒状爪部材を任意に設形変更しても、本発明の実質的構成は変わらない。
【産業上の利用可能性】
【００２９】
本発明は、屋外において、自動販売機、各種機械を据付ける際に使用される。
【図面の簡単な説明】
【００３０】
図１乃至図７は本発明の第１実施例を示す各説明図。図８乃至図９は第１実施例の一部を設計変更した各説明図（第２実施例）、図１０乃至図１１は第１実施例の一部を設計変更した各説明図（第３実施例）。
【図１】第１実施例の実施形態を示す概略説明図（環境の正面図）。
【図２】分解斜視図。
【図３】外筒体と内筒体の長さを比較した説明図。
【図４】爪部材を平面から見た説明図。
【図５】組み合わせた状態の縦断面図。
【図６】押開した状態の縦断面図。
【図７】長さの相違するストッパー内筒体の説明図。
【図８】第２実施例の正面図。
【図９】要部の縦断面図。
【図１０】第３実施例の分解斜視図。
【図１１】要部の縦断面図
【符号の説明】
【００３１】
Ｘ、Ｘ1、ｘ２…、１、１Ａ…螺杆、２…押開用外筒体、２ａ…上端面、２ｂ…下端面、３、３Ａ、３Ｂ…筒状爪部材、４…締め付け手段、５…ストッパー内筒体、５ａ…上端部、５ｂ…下端部、６、６Ａ…止めナット、７…間隙、８…切り込み片、９…第１切欠、１０…第２切欠、１１…嵌合空間、２１…基礎、２２…ベース板、２３…貫通孔。
【図１】
2005258948.tif 000003
【図２】
2005258948.tif 000004
【図３】
2005258948.tif 000005
【図４】
2005258948.tif 000006
【図５】
2005258948.tif 000007
【図６】
2005258948.tif 000008
【図７】
2005258948.tif 000009
【図８】
2005258948.tif 000010
【図９】
2005258948.tif 000011
【図１０】
2005258948.tif 000012
【図１１】
2005258948.tif 000013